(57)【要約】【課題】照明事例を表す画像が撮像された場所以外の場所（自宅等）であってもその照明事例を実感することができる照明器具を提供する。【解決手段】照明器具１は、照明光を照射する光源部１０と、照明事例に関する情報をユーザから取得する取得部２０と、取得部２０で取得した照明事例に関する情報についての照明事例を表す画像が撮像された際の照明条件と同じ条件で照明光が照射するように光源部１０を制御する制御部３０とを有し、制御部３０によって光源部１０を制御することでユーザが照明事例を体感できる。【選択図】図２
2017208313.tif 000002
【特許請求の範囲】
【請求項１】
照明光を照射する光源部と、
照明事例に関する情報をユーザから取得する取得部と、
前記取得部で取得した前記情報についての前記照明事例を表す画像が撮像された際の照明条件と同じ条件で照明光が照射するように前記光源部を制御する制御部とを有し、
前記制御部によって前記光源部を制御することでユーザが前記照明事例を体感できる、
照明器具。
【請求項２】
前記照明器具は、照明事例を表す画像及び当該画像が撮像された際の照明条件の各々を予め複数記憶する記憶部を有し、
前記取得部は、ユーザによって前記情報が入力される入力部であり、
前記制御部は、前記入力部で入力された前記情報に基づいて、前記記憶部に記憶された前記複数の画像の中から、前記入力部に入力された前記情報における照明事例に対応する画像を選択し、選択した前記画像が撮像された際の照明条件と同じ条件で照明光が照射するように前記光源部を制御する、
請求項１に記載の照明器具。
【請求項３】
請求項１に記載の照明器具と、
照明事例を表す画像を提示する提示端末とを備え、
前記照明器具の前記取得部は、前記提示端末から、前記画像及び当該画像が撮像された際の照明条件を取得し、
前記制御部は、前記取得部で取得した前記照明条件と同じ条件で照明光が照射するように前記光源部を制御する、
照明システム。
【請求項４】
前記提示端末は、前記画像を複数提示する、
請求項３に記載の照明システム。
【請求項５】
前記提示端末は、当該提示端末に提示された前記複数の画像の中からユーザが選択した画像及び当該画像が撮像された際の照明条件を前記照明器具に送信する、
請求項４に記載の照明システム。
【発明の詳細な説明】
【技術分野】
【０００１】
本発明は、照明器具及び照明器具を用いた照明システムに関する。
【背景技術】
【０００２】
ユーザ（利用者）が照明器具を購入する際に照明器具の選択を支援する技術が提案されている（特許文献１）。特許文献１に開示された技術によれば、専門知識を持たない一般のユーザであっても、ユーザが希望する部屋の条件を考慮した上で、ユーザが希望する明るさ感の照明空間を実現できる照明器具を簡単に選択することができる。
【先行技術文献】
【特許文献】
【０００３】
【特許文献１】特開２００５−２４３３０６号公報
【発明の概要】
【発明が解決しようとする課題】
【０００４】
ユーザが照明器具を購入する際、ユーザは、照明器具を用いた照明事例を表す画像を参考にして照明器具を選択することがある。具体的には、ユーザは、照明器具を取り扱う会社（メーカー、販売業者等）のカタログ誌に掲載された照明事例の画像をもとに照明器具を選んだり、照明器具を取り扱う会社のホームページに掲載された照明事例の画像をもとに照明器具を選んだりする。
【０００５】
しかしながら、カタログ誌又はホームページに掲載された照明事例は、ユーザ自身の自宅内の照明器具で照らされたものではない。このため、ユーザがカタログ誌又はホームページに掲載された照明事例を見ても、その照明事例に用いられた照明器具の良し悪しを実体験することができず、照明器具の購入に際して照明器具を適切に選択することが難しい。
【０００６】
本発明は、このような課題を解決するためになされたものであり、照明事例を表す画像が撮像された場所以外の場所（自宅等）であってもその照明事例を実感することができる照明器具及び照明システムを提供することを目的とする。
【課題を解決するための手段】
【０００７】
上記目的を達成するために、本発明に係る照明器具の一態様は、照明光を照射する光源部と、照明事例に関する情報をユーザから取得する取得部と、前記取得部で取得した前記情報についての前記照明事例を表す画像が撮像された際の照明条件と同じ条件で照明光が照射するように前記光源部を制御する制御部とを有し、前記制御部によって前記光源部を制御することでユーザが前記照明事例を体感できるものである。
【０００８】
また、本発明に係る照明システムの一態様は、上記の照明器具と、照明事例を表す画像を提示する提示端末とを備え、前記照明器具の前記取得部は、前記提示端末から、前記画像及び当該画像が撮像された際の照明条件を取得し、前記制御部は、前記取得部で取得した前記照明条件と同じ条件で照明光が照射するように前記光源部を制御する。
【発明の効果】
【０００９】
照明事例を表す画像が撮像された場所以外の場所であってもその照明事例を実感することができる。
【図面の簡単な説明】
【００１０】
【図１】実施の形態１に係る照明器具の外観図である。
【図２】実施の形態１に係る照明器具の機能構成を示すブロック図である。
【図３】照明事例を表す画像が掲載されたカタログ誌の一例を示す図である。
【図４】実施の形態１に係る照明器具の使用例を示す図である。
【図５】実施の形態２に係る照明システムのシステム全体の構成を示す図である。
【図６】実施の形態２に係る照明システムの機能構成を示すブロック図である。
【図７】照明事例を表す画像が提示された提示端末の一例を示す図である。
【図８】実施の形態２に係る照明システムの使用例を示す図である。
【発明を実施するための形態】
【００１１】
以下、本発明の実施の形態について説明する。なお、以下に説明する実施の形態は、いずれも本発明の好ましい一具体例を示すものである。したがって、以下の実施の形態で示される、数値、構成要素、構成要素の配置位置及び接続形態、並びに、ステップ及びステップの順序等は、一例であって本発明を限定する主旨ではない。よって、以下の実施の形態における構成要素のうち、本発明の最上位概念を示す独立請求項に記載されていない構成要素については、任意の構成要素として説明される。
【００１２】
また、各図は、模式図であり、必ずしも厳密に図示されたものではない。なお、各図において、実質的に同一の構成に対しては同一の符号を付しており、重複する説明は省略又は簡略化する。
【００１３】
（実施の形態１）
実施の形態１に係る照明器具１の構成について、図１及び図２を用いて説明する。図１は、実施の形態１に係る照明器具１の外観図である。図２は、同照明器具１の機能構成を示すブロック図である。
【００１４】
図１に示すように、本実施の形態において、照明器具１は、ユーザが照明器具を購入する際等において照明器具を選択するために用いられる専用機器であり、例えば、レンタル等によって入手することができる。照明器具１は、例えばスタンドライトであり、テーブル又はデスクに置かれた物体に照明光を照射することができる。
【００１５】
図２に示すように、照明器具１は、光源部１０と、取得部２０と、制御部３０と、記憶部４０とを有する。
【００１６】
光源部１０は、照明光を照射する。具体的には、光源部１０は、所定の照明条件によって所定の発光スペクトルの照明光を発する。所定の照明条件とは、明るさ（光束）、色温度や光色、又は、平均演色評価数（Ｒａ）等である。光源部１０は、例えば、照明光として、所定の明るさ、所定の色温度、及び、所定の平均演色評価数の白色光を照射する。
【００１７】
本実施の形態において、光源部１０の発光スペクトルは、制御部３０によって変更することができる。具体的には、明るさ、色温度や光色及び平均演色評価数等の照明条件が制御部３０によって変更されることで、光源部１０から照射される照明光の発光スペクトルを変化させることができる。したがって、光源部１０は、照明光の明るさ（光出力）を変更することができる調光機能、及び、照明光の色温度や光色を変更することができる調色機能を有している。
【００１８】
なお、照明条件は、発光スペクトルに関するものに限らず、配光角等であってもよい。この場合、光源部１０は、調光機能及び調色機能以外に、光源部１０に配置されたレンズを自動調整する等により配光角を変更することができる配光制御機能等を有していてもよい。
【００１９】
取得部２０は、照明事例に関する情報をユーザから取得する。例えば、ユーザが、複数の照明事例の中から気に入った照明事例を選択した場合、取得部２０は、ユーザが選択した照明事例に関する情報を取得する。
【００２０】
ここで、照明事例とは、照明器具の明かりに関する照明イメージであり、例えば、照明器具を用いて所定の照明条件によって物体や人等の被写体に照明光を照射したときの空間を撮像した画像のことである。つまり、照明事例とは、特定の照明器具による照明環境下で被写体を撮像した画像である。照明事例を表す画像は、静止画像（写真等）及び動画像のいずれであってもよい。具体的には、照明事例を表す画像は、照明器具を取り扱う会社（メーカー又は販売業者）のカタログ誌に掲載された写真、又は、照明器具を取り扱う会社のホームページに掲載された写真又は動画である。
【００２１】
また、照明事例に関する情報とは、照明事例そのものを表す画像、又は、照明事例に用いられる照明器具の情報（商品番号、管理番号等）等である。
【００２２】
本実施の形態において、取得部２０は、ユーザによって照明事例に関する情報が入力される入力部である。入力部である取得部２０は、ユーザの操作に応じて照明事例に関する情報を入力するための入力手段であり、例えばユーザインターフェースである。入力手段は、例えば、記憶部４０に記憶された照明事例を表示する表示機能と表示された照明事例を選択するための選択機能とを兼ね備えたタッチパネルであってもよいし、記憶部４０に記憶された照明事例を表示するディスプレイと表示された照明事例を選択するボタンとの組み合わせであってもよい。また、入力する情報が商品番号や管理番号等の数字情報である場合は、入力手段は、数字を入力することができる数字キーパッド又はタッチパネル等の数字入力手段であってもよい。
【００２３】
制御部３０は、光源部１０を制御する。具体的には、制御部３０は、取得部２０で取得した照明事例に関する情報についての照明事例を表す画像が撮像された際の照明条件と同じ条件で照明光が照射するように光源部１０を制御する。
【００２４】
本実施の形態では、記憶部４０に照明事例を表す画像と当該画像が事前に撮像された際の照明条件との各々が複数記憶されているので、制御部３０は、取得部２０（入力部）で入力された照明事例に関する情報に基づいて、記憶部４０に記憶された複数の画像の中から、取得部２０（入力部）に入力された照明事例に関する情報についての照明事例を表す画像を選択し、選択した画像が撮像された際の照明条件と同じ条件で照明光が照射するように光源部１０を制御する。
【００２５】
例えば、ユーザの操作によって取得部２０にユーザが希望する照明事例に関する情報が入力されると、制御部３０は、記憶部４０に記憶された画像の中から、入力された情報についての照明事例を表す画像に一致する画像を選択し、選択した画像が撮像された際の照明条件を光源部１０に出力する。これにより、光源部１０は、制御部３０からの照明条件で照明光を照射する。
【００２６】
なお、本実施の形態における制御部３０は、光源部１０の制御だけに限らず、その他の制御や演算を行ったり情報の一時的な記憶を行ったりしてもよい。
【００２７】
記憶部４０は、照明事例を表す画像及び当該画像が撮像された際の照明条件の各々を予め複数記憶する。例えば、記憶部４０は、照明事例を表す画像と当該画像が撮像された際の照明条件との組み合わせデータを予め複数セット記憶している。記憶部４０に記憶される画像は、例えば当該画像が静止画像である場合、データ形式がｊｐｇ等の画像形式の画像データである。
【００２８】
また、記憶部４０は、さらに、その他の情報を記憶してもよいし、照明器具１が行う処理に必要な一連のプログラム等を記憶していてもよい。記憶部４０は、例えば、ＳＲＡＭ又はＤＲＡＭ等の揮発性の記憶装置からなる主記憶装置、あるいは、磁気ディスク、光ディスク、光磁気ディスク又は半導体メモリ等の不揮発性の記憶装置からなる補助記憶装置によって構成される。
【００２９】
このように構成される照明器具１では、制御部３０によって光源部１０から照明光が照射されることで、ユーザは照明事例を体感することができる。
【００３０】
以下、この点に関して、照明器具１の具体的な使用例について、図３及び図４を用いて説明する。図３は、照明事例を表す画像が掲載されたカタログ誌の一例を示す図である。図４は、実施の形態１に係る照明器具１の使用例を示す図である。
【００３１】
本実施の形態では、ユーザが照明器具を購入しようとする際に、図３に示すように、照明器具を取り扱う会社（メーカー又は販売業者等）のカタログ誌に掲載された照明事例の画像を参考にして照明器具を選択して購入する場合について説明する。
【００３２】
この場合、まず、ユーザは、専用機器である照明器具１をレンタル等によって照明器具を取り扱う会社から予め入手し、自宅に設置しておく。
【００３３】
次に、ユーザは、照明器具のカタログ誌に掲載された複数の照明事例の画像を見て、複数の照明事例の中から気に入った照明事例を見つけて、その照明事例に関する情報を照明器具１に入力する。照明事例としては、例えば図３に示すように、新製品の明かりとして、料理を色鮮やかに美味しそうに照らすと記載された照明事例、又は、肌の色を引き立てると記載された照明事例がある。なお、照明事例は、これに限るものではなく、その他にも、インテリア又は花や植栽を色鮮やかに照らすと記載された照明事例、又は、内装建材を美しく引き立たせると記載された照明事例等がある。
【００３４】
気に入った照明事例に対して、ユーザは、照明器具１の取得部２０（入力部）に、その照明事例に関する情報として、例えばカタログ誌に掲載された数字情報を入力する。数字情報は、照明事例に用いられる照明器具の商品番号（図３の「ＬＡＢ１２３」、「ＬＧＨ２５６」）、又は、照明事例を表す画像の管理番号（図３の「Ａ００１」、「Ｂ００１」）等であり、例えばカタログ誌に掲載されている。
【００３５】
なお、ユーザが気に入った照明事例を見つける際に、必ずしもカタログ誌を用いる必要はない。例えば、デスクトップパソコンやタブレット端末、スマートフォン等を用いて、照明器具を取り扱う会社のホームページに掲載された照明事例を見て、複数の照明事例の中から気に入った照明事例を見つけてもよい。そして、ホームページの中から気に入った照明事例を見つけた場合、カタログ誌と同様に、取得部２０（入力部）に、照明事例に関する情報として、ホームページに掲載された数字情報を入力する。
【００３６】
また、ユーザが気に入った照明事例を見つける際に、カタログ誌及びホームページのいずれも用いなくてもよい。例えば、取得部２０（入力部）がディスプレイ等の表示機能を有していれば、記憶部４０に記憶された複数の照明事例を表す画像をディスプレイに表示することで、表示された複数の照明事例の画像の中からユーザが気に入った照明事例を見つけてもよい。この場合、ディスプレイに表示された照明事例を表す画像をユーザが選択することで、取得部２０（入力部）は、照明事例に関する情報を取得することができる。また、このようにディスプレイに照明事例の画像を表示する場合であっても、カタログ誌及びホームページを併用してもよい。
【００３７】
次に、取得部２０で照明事例に関する情報を取得すると、制御部３０は、取得部２０で取得した照明事例に関する情報についての照明事例を表す画像が撮像された際の照明条件と同じ条件で照明光が照射するように光源部１０を制御する。
【００３８】
本実施の形態では、記憶部４０に照明事例を表す画像と当該画像が撮像された際の照明条件との各々が複数記憶されているので、制御部３０では、取得部２０（入力部）に入力された照明事例に関する情報に基づいて、記憶部４０に記憶された照明事例を表す複数の画像の中から、取得部２０（入力部）に入力された照明事例に関する情報についての照明事例を表す画像が選択される。そして、制御部３０によって、選択された画像が撮像された際の照明条件と同じ条件で照明光が照射するように光源部１０が制御される。
【００３９】
具体的には、制御部３０は、記憶部４０に記憶された複数の照明条件の中から、選択された画像に紐付けられた照明条件を抽出し、抽出した照明条件を光源部１０に出力する。光源部１０は、制御部３０からの照明条件にしたがって照明光を照射する。
【００４０】
このように、ユーザが選択した照明事例を表す画像に対応する照明条件で光源部１０から照明光を照射させることで、ユーザは、自分が選択した照明事例を体感することができる。これにより、ユーザは、過去に撮像された画像に対応する照明事例を実感することができる。
【００４１】
例えば、図３において、ユーザが、料理を色鮮やかに美味しそうに照らすと記載された「Ａ００１」の照明事例１を選択して、その照明事例１の情報を取得部２０に入力した場合、制御部３０によって、記憶部４０の中から照明事例１（「Ａ００１」）の画像が撮像された際の照明条件が抽出されて、その照明条件と同じ条件で照明光が照射するように光源部１０が制御される。これにより、照明器具１は、ユーザが選択した照明事例と同じ照明条件の照明光を照射することができる。このため、図４に示すように、ユーザが作った料理に、ユーザが選択した照明事例と同じ照明条件の照明光を照射させることができるので、ユーザは、料理を色鮮やかに美味しそうに見えるかどうかを実感することができる。
【００４２】
以上、本実施の形態における照明器具１は、照明光を照射する光源部１０と、照明事例に関する情報をユーザから取得する取得部２０と、取得部２０で取得した照明事例に関する情報についての照明事例を表す画像が撮像された際の照明条件と同じ条件で照明光が照射するように光源部１０を制御する制御部３０とを有しており、制御部３０によって光源部１０を制御することでユーザが照明事例を体感できる。
【００４３】
これにより、ユーザは、照明事例を表す画像が撮像された場所以外の場所であっても、その照明事例の明かりを実感することができる。例えば、照明事例を表す画像が撮像されたときの照明条件による照明光が照射されたときの明かりを、自宅にいながら実感したり、ユーザが実際に照明器具を利用する場所で実感したりできる。したがって、ユーザは、カタログ誌又はホームページに掲載された照明事例に用いられた照明器具の良し悪しを実体験することができるので、照明器具を購入する際等において照明器具を適切に選択することができる。この結果、照明事例を表す画像だけで照明器具を判断してしまって購入してから意図しない照明光の照明器具と気付くケースを未然に防止することができる。
【００４４】
また、本実施の形態において、照明器具１は、照明事例を表す画像及び当該画像が撮像された際の照明条件の各々を予め複数記憶する記憶部４０を有しており、取得部２０は、ユーザによって照明事例に関する情報が入力される入力部である。そして、制御部３０は、取得部２０（入力部）で入力された情報に基づいて、記憶部４０に記憶された複数の画像の中から、取得部２０に入力された情報における照明事例に対応する画像を選択し、選択した画像が撮像された際の照明条件と同じ条件で照明光が照射するように光源部１０を制御している。
【００４５】
これにより、他の機器を用いることなく照明器具１のみによって、ユーザは、照明事例を表す画像が撮像された場所以外の場所で、ユーザが気に入った照明事例を実感することができる。
【００４６】
（実施の形態２）
次に、実施の形態２に係る照明システム１００について説明する。まず、本実施の形態における照明システム１００の構成について、図５及び図６を用いて説明する。図５は、同照明システム１００のシステム全体の構成を示す図である。図６は、同照明システム１００の機能構成を示すブロック図である。
【００４７】
図５に示すように、本実施の形態における照明システム１００は、ユーザが照明器具を購入する際に照明器具の選択を支援するシステムであり、照明器具１Ａと、提示端末２とを備える。
【００４８】
照明器具１Ａは、実施の形態１における照明器具１と同様に、ユーザが照明器具を購入する際に照明器具を選択するために用いられる専用機器であり、例えば、レンタル等によって入手することができる。照明器具１Ａは、実施の形態１と同様に、例えばスタンドライトである。
【００４９】
提示端末２は、照明事例を表す画像を提示する機能を有する。提示端末２は、例えば、スマートフォン又はタブレット端末等の携帯端末であり、画像を表示するための表示画面を有するディスプレイを備える。提示端末２の表示画面には、例えば、照明器具を取り扱う会社のホームページに掲載された照明事例を表す画像が表示される。つまり、本実施の形態において、提示端末２は、照明事例を表す画像を表示することで、照明事例を表す画像を提示する。
【００５０】
また、提示端末２は、無線通信機能を有しており、ホームページに掲載された照明事例を表す画像及び当該画像が撮像された際の照明条件を照明器具１Ａに送信する。具体的には、表示画面に表示された照明事例を表す画像をユーザが選択することで、照明事例を表す画像及び当該画像が撮像された際の照明条件が照明器具１Ａの取得部２０Ａに送信される。
【００５１】
本実施の形態において、提示端末２は、照明事例を表す画像を複数提示する。したがって、提示端末２は、提示端末２に提示された複数の画像の中からユーザが選択した画像及び当該画像が撮像された際の照明条件を照明器具１Ａに送信する。
【００５２】
図６に示すように、照明器具１Ａは、光源部１０と、取得部２０Ａと、制御部３０とを有する。
【００５３】
光源部１０は、実施の形態１と同様であり、照明光を照射する。光源部１０は、制御部３０から送信される照明条件によって照明光を発する。また、光源部１０の照明光は、制御部３０によって照明条件を変更することで変更することができる。
【００５４】
取得部２０Ａは、照明事例に関する情報をユーザから取得する。本実施の形態において、照明事例に関する情報は、照明事例を表す画像である。したがって、取得部２０Ａは、照明事例に関する画像をユーザから取得する。
【００５５】
また、本実施の形態において、取得部２０Ａは、無線通信機能を有する通信部であり、提示端末２との間で無線通信を行う。具体的には、取得部２０Ａは、提示端末２から、照明事例を表す画像とともに、当該画像が撮像された際の照明条件を取得する。
【００５６】
例えば、取得部２０Ａは、提示端末２に提示された複数の照明事例の中からユーザが希望する照明事例を選択した場合に、提示端末２から、ユーザが選択した照明事例を表す画像及び当該画像が撮像された際の照明条件を取得する。
【００５７】
制御部３０は、実施の形態１と同様であり、取得部２０Ａで取得した照明事例を表す画像が撮像された際の照明条件と同じ条件で照明光が照射するように光源部１０を制御する。これにより、光源部１０からは、ユーザが選択した照明事例を表す画像が撮像された際の照明条件で照明光が照射する。
【００５８】
このように構成される照明器具１Ａでは、実施の形態１と同様に、制御部３０によって光源部１０から照明光が照射されることで、ユーザは照明事例を体感することができる。
【００５９】
次に、照明器具１Ａを用いた照明システム１００の具体的な使用例について、図７及び図８を用いて説明する。図７は、照明事例を表す画像が提示された提示端末の一例を示す図である。図８は、実施の形態２に係る照明システム１００の使用例を示す図である。
【００６０】
本実施の形態では、ユーザが照明器具を購入しようとする際に、図７に示すように、照明器具を取り扱う会社のホームページに掲載された照明事例の画像を参考にして照明器具を選択して購入する場合について説明する。
【００６１】
この場合、まず、ユーザは、専用機器である照明器具１Ａをレンタル等によって照明器具を取り扱う会社から予め入手し、自宅に設置しておく。
【００６２】
次に、ユーザは、提示端末２を用いて、照明器具を取り扱う会社のホームページに掲載された照明事例の画像を見て、複数の照明事例の中から気に入った照明事例を見つけて、その照明事例に関する画像を選択する。照明事例は、実施の形態１と同様である。例えば、図７に示すように、提示端末２には、料理を色鮮やかに美味しそうに照らすと記載された照明事例を表す画像、及び、肌の色を引き立てると記載された照明事例を表す画像が表示されている。
【００６３】
ユーザの提示端末２の操作により照明事例に関する画像が選択されると、ユーザが選択した画像及び当該画像が撮像された際の照明条件が提示端末２から照明器具１Ａに送信される。
【００６４】
次に、取得部２０Ａで照明事例に関する画像及び当該画像が撮像された際の照明条件を取得すると、制御部３０は、取得部２０Ａで取得した照明事例を表す画像が撮像された際の照明条件と同じ条件で照明光が照射するように光源部１０を制御する。光源部１０は、その照明条件にしたがって照明光を照射する。
【００６５】
このように、ユーザが選択した照明事例を表す画像に対応する照明条件で光源部１０から照明光を照射させることで、ユーザは、自分が選択した照明事例を体感することができる。これにより、ユーザは、過去に撮像された画像に対応する照明事例を実感することができる。
【００６６】
例えば、図７において、ユーザが、提示端末２に表示された複数の照明事例の中から、料理を色鮮やかに美味しそうに照らすと記載された「Ａ００１」の照明事例１を選択すると、照明事例１を表す画像及び当該画像が撮像された際の照明条件が提示端末２から照明器具１Ａに送信される。これにより、照明器具１Ａでは、取得部２０Ａで照明事例１を表す画像及び当該画像が撮像された際の照明条件を取得し、制御部３０によって、取得した照明条件と同じ条件で照明光が照射するように光源部１０が制御される。この結果、照明器具１Ａは、ユーザが選択した照明事例と同じ照明条件の照明光を照射することができる。このため、図８に示すように、ユーザが作った料理に、ユーザが選択した照明事例と同じ照明条件の照明光を照射させることができるので、ユーザは、料理を色鮮やかに美味しそうに見えるかどうかを実感することができる。
【００６７】
以上、本実施の形態における照明システム１００は、照明器具１Ａと、照明事例を表す画像を提示する提示端末２とを備えている。そして、照明器具１Ａの取得部２０Ａは、提示端末２から、照明事例を表す画像及び当該画像が撮像された際の照明条件を取得し、制御部３０は、取得部２０Ａで取得した照明条件と同じ条件で照明光が照射するように光源部１０を制御する。照明器具１Ａは、照明事例を表す画像が撮像された際の照明条件と同じ条件で照明光を照射させることでユーザにその照明事例を体感させることができる。
【００６８】
これにより、実施の形態１と同様に、ユーザは、照明事例を表す画像が撮像された場所以外の場所であっても、その照明事例の明かりを実感することができる。例えば、照明事例を表す画像が撮像されたときの照明条件による照明光が照射されたときの明かりを、自宅にいながら実感したり、ユーザが実際に照明器具を利用する場所で実感したりできる。したがって、ユーザは、提示端末２に提示された照明事例に用いられた照明器具の良し悪しを実体験することができるので、照明器具を購入する際等において照明器具を適切に選択することができる。この結果、照明事例を表す画像だけで照明器具を判断してしまって購入してから意図しない照明光の照明器具と気付くケースを未然に防止することができる。
【００６９】
なお、体感した照明事例に対応する照明器具をユーザが購入してもよいと判断した場合、提示端末２を用いてそのままその照明器具の購入手続きを進めてもよい。
【００７０】
また、本実施の形態において、提示端末２は、照明事例を表す画像を複数提示する。
【００７１】
これにより、提示端末２から、複数の画像及び当該複数の画像の各々に対応する照明条件を照明器具１Ａに送信することで、ユーザは、複数の照明事例の明かりを実感することができる。このとき、光源部１０での配光を制御して複数の照明条件による照明光を照らし分けをすることで、ユーザは、複数の照明条件による明かりを同時に体感できるので、複数の照明条件の明かりを容易に比較することができる。
【００７２】
また、本実施の形態において、提示端末２は、提示端末２に提示された複数の画像の中からユーザが選択した画像及び当該画像が撮像された際の照明条件を照明器具１Ａに送信する。
【００７３】
これにより、ユーザは、選択した画像に対応する照明条件による明かりを体感することができる。
【００７４】
（変形例）
以上、本発明に係る照明器具１及び照明システム１００について、実施の形態に基づいて説明したが、本発明は、上記実施の形態に限定されるものではない。
【００７５】
例えば、上記実施の形態において、照明器具１、１Ａは、スタンドライトであるとしたが、これに限らない。照明器具１、１Ａは、天井から吊るすペンダントライト、天井に設置するベースライト等のシーリングライト、天井に埋め込み配設するダウンライト、又は、スポットライト等であってもよい。
【００７６】
また、本実施の形態では、一般ユーザが自宅で照明事例を体感する場合について例示したが、これに限らない。例えば、照明器具を購入しようとしている業者が店舗等で照明事例を体感する場合に、実施の形態１、２を適用してもよい。
【００７７】
その他、上記実施の形態に対して当業者が思いつく各種変形を施して得られる形態、又は、本発明の趣旨を逸脱しない範囲で上記の実施の形態における構成要素及び機能を任意に組み合わせることで実現される形態も本発明に含まれる。
【００７８】
また、上記の説明において、取得部２０、２０Ａ及び制御部３０は、回路であってもよい。これらの回路は、全体として１つの回路を構成してもよいし、それぞれ別々の回路でもよい。また、これらの回路は、それぞれ、汎用的な回路でもよいし、専用の回路でもよい。
【００７９】
また、取得部２０、２０Ａ及び制御部３０等、照明器具１、１Ａの動作として説明した処理は、コンピュータが実行してもよい。例えば、コンピュータが、プロセッサ（ＣＰＵ）、メモリ及び入出力回路等のハードウェア資源を用いてプログラムを実行することによって、上記の各処理を実行する。具体的には、プロセッサが処理対象のデータをメモリ又は入出力回路等から取得してデータを演算したり、演算結果をメモリ又は入出力回路等に出力したりすることによって、各処理を実行する。
【００８０】
また、上記の各処理を実行するためのプログラムが、コンピュータ読み取り可能なＣＤ−ＲＯＭ等の非一時的な記録媒体に記録されてもよい。この場合、コンピュータが、非一時的な記録媒体からプログラムを読み出して、プログラムを実行することにより、各処理を実行する。例えば、上記照明システムにおける方法をコンピュータに実行させるプログラムとして実現したり、そのようなプログラムを記録したコンピュータ読み取り可能な記録媒体として実現したりすることもできる。
【００８１】
なお、本発明は、コンピュータを上記照明システムとして機能させるためのプログラムとして実現したり、そのプログラムを格納したコンピュータ読み取り可能な記録媒体として実現したりすることもできる。
【符号の説明】
【００８２】
１、１Ａ  照明器具
２  提示端末
１０  光源部
２０、２０Ａ  取得部
３０  制御部
４０  記憶部
１００  照明システム
【図１】
2017208313.tif 000003
【図２】
2017208313.tif 000004
【図３】
2017208313.tif 000005
【図４】
2017208313.tif 000006
【図５】
2017208313.tif 000007
【図６】
2017208313.tif 000008
【図７】
2017208313.tif 000009
【図８】
2017208313.tif 000010